(57)【要約】      （修正有）【課題】緊急情報により動画広告の表示が中断した場合にも、表示スケジュールに組み込まれている動画広告の内容を全部表示させつつ、予定期間内に、予定回数の動画広告の表示を行うことが可能な自動販売機を提供する。【解決手段】自動販売機は、動画広告Ａを表示する表示部と、予め決められた表示スケジュールに従って、前記表示部に順次異なる前記動画広告Ａを表示させる制御を行う制御部と、を備える。また、前記制御部は、緊急情報Ｅにより前記表示部への前記動画広告Ａの表示が中断した場合、前記緊急情報Ｅによる前記動画広告Ａの中断時間Ｔ分だけ時間を短縮するように、前記緊急情報Ｅにより中断された後の前記動画広告Ａの表示速度を大きくする制御を行う。【選択図】図４
2020101975.tif 000002
【特許請求の範囲】
【請求項１】
動画広告を表示する表示部と、
予め決められた表示スケジュールに従って、前記表示部に順次異なる前記動画広告を表示させる制御を行う制御部と、を備え、
前記制御部は、緊急情報により前記表示部への前記動画広告の表示が中断した場合、前記緊急情報による前記動画広告の中断時間分だけ時間を短縮するように、前記緊急情報により中断された後の前記動画広告の表示速度を大きくする制御を行うように構成されている、自動販売機。
【請求項２】
前記制御部は、前記中断時間分だけ時間を短縮するように、複数の前記動画広告の表示速度を大きくする制御を行うように構成されている、請求項１に記載の自動販売機。
【請求項３】
前記制御部は、前記中断時間に応じて、表示速度を大きくする前記動画広告の数を決定する制御を行うように構成されている、請求項１または２に記載の自動販売機。
【請求項４】
前記制御部は、前記緊急情報による中断から前記動画広告の表示が再開した場合、前記緊急情報により中断された前記動画広告の続きについては通常の表示速度により表示しつつ、前記緊急情報により中断された前記動画広告よりも後の前記動画広告の表示速度を大きくする制御を行うように構成されている、請求項１〜３のいずれか１項に記載の自動販売機。
【請求項５】
前記制御部は、前記動画広告のフレームを間引くことにより、前記動画広告の表示速度を大きくする制御を行うように構成されている、請求項１〜４のいずれか１項に記載の自動販売機。
【請求項６】
前記制御部は、前記動画広告のフレームを一定間隔毎に間引くことにより、前記動画広告の表示速度を大きくする制御を行うように構成されている、請求項５に記載の自動販売機。
【請求項７】
前記制御部は、前記動画広告のフレーム間における画像の変化率に基づいて、間引きを行う前記動画広告のフレームを決定するとともに、決定された前記動画広告のフレームを間引くことにより、前記動画広告の表示速度を大きくする制御を行うように構成されている、請求項５に記載の自動販売機。
【請求項８】
前記制御部は、前記動画広告のフレームレートを大きくすることにより、前記動画広告の表示速度を大きくする制御を行うように構成されている、請求項１〜４のいずれか１項に記載の自動販売機。
【請求項９】
前記制御部は、前記表示スケジュールにおいて表示期間が重なる複数の前記動画広告を、前記表示部の画面を分割して前記表示部に同時に表示させる制御を行うように構成されている、請求項１〜８のいずれか１項に記載の自動販売機。
【請求項１０】
動画広告を表示する表示部を含み、予め決められた表示スケジュールに従って、前記表示部に順次異なる前記動画広告を表示させる自動販売機と、
前記自動販売機に前記動画広告を配信する広告配信サーバと、を備え、
緊急情報により前記表示部への前記動画広告の表示が中断した場合、前記緊急情報による前記動画広告の中断時間分だけ時間を短縮するように、前記緊急情報により中断された後の前記動画広告の表示速度を大きくする制御を行うように構成されている、自動販売機システム。
【請求項１１】
広告を表示する表示部と、
予め決められた表示スケジュールに従って、前記表示部に順次異なる前記広告を表示させる制御を行う制御部と、を備え、
前記制御部は、前記表示スケジュールにおいて表示期間が重なる複数の前記広告を、前記表示部の画面を分割して前記表示部に同時に表示させる制御を行うように構成されている、自動販売機。
【請求項１２】
前記制御部は、前記表示スケジュールにおいて表示期間が重なる前記広告の表示が開始される毎に、表示が開始された前記広告による前記表示部の画面の分割を行うように構成されている、請求項１１に記載の自動販売機。
【請求項１３】
前記制御部は、前記表示スケジュールにおいて表示期間が重なる前記広告の表示が終了される毎に、表示が終了された前記広告による前記表示部の画面の分割を解除する制御を行うように構成されている、請求項１２に記載の自動販売機。
【請求項１４】
分割表示状態の前記表示部の画面には、表示位置毎に優先度が設定されており、
前記制御部は、前記優先度に従って表示開始時刻順に並ぶように、前記複数の広告を分割表示状態の前記表示部に表示させる制御を行うように構成されている、請求項１１〜１３のいずれか１項に記載の自動販売機。
【請求項１５】
分割表示状態の前記表示部の画面には、表示位置毎に優先度が設定されており、
前記制御部は、前記優先度に従って表示終了時刻順に並ぶように、前記複数の広告を分割表示状態の前記表示部に表示させる制御を行うように構成されている、請求項１１〜１４のいずれか１項に記載の自動販売機。
【請求項１６】
前記制御部は、少なくとも１つの前記広告の表示位置が保持されるように、前記表示部の画面を分割表示状態から次の分割表示状態に遷移させる制御を行うように構成されている、請求項１１〜１５のいずれか１項に記載の自動販売機。
【請求項１７】
前記制御部は、前記広告の表示位置が変わるように、前記表示部の画面を分割表示状態から次の分割表示状態に遷移させる制御を行うように構成されている、請求項１１〜１５のいずれか１項に記載の自動販売機。
【請求項１８】
前記制御部は、前記複数の広告のうちの所定の広告に表示位置の制限または表示サイズの制限が指定されている場合、前記表示部の画面の分割を行う場合に、指定された表示位置の制限または表示サイズの制限を満たすように、前記所定の広告を前記表示部に表示させる制御を行うように構成されている、請求項１１〜１７のいずれか１項に記載の自動販売機。
【請求項１９】
表示した前記広告の表示時間、表示位置、および、表示サイズに基づいて、前記広告の表示費用に関する値が取得されるように構成されている、請求項１１〜１８のいずれか１項に記載の自動販売機。
【発明の詳細な説明】
【技術分野】
【０００１】
この発明は、自動販売機および自動販売機システムに関し、特に、広告を表示する自動販売機および自動販売機システムに関する。
【背景技術】
【０００２】
従来、広告を表示する自動販売機が知られている（たとえば、特許文献１参照）。
【０００３】
上記特許文献１には、飲料を販売する自動販売機が開示されている。この自動販売機は、広告を表示するディスプレイを備えている。また、このような広告としては、たとえば、動画広告が用いられる。
【先行技術文献】
【特許文献】
【０００４】
【特許文献１】特開２０１８−７３２６５号公報
【発明の概要】
【発明が解決しようとする課題】
【０００５】
上記特許文献１には明記されていないが、上記特許文献１に記載されるような従来の自動販売機では、動画広告は、予め決められた表示スケジュールに従って表示される場合がある。この場合に、たとえば災害に関する緊急情報を表示するために動画広告の表示が中断した場合、緊急情報による動画広告の中断時間分だけ表示スケジュールがずれるため、表示スケジュールに遅延が生じる。この場合、予定期間内に、予定回数の動画広告の表示（表示スケジュール通りの動画広告の表示）を行うことができないという問題点がある。また、表示スケジュールの遅延を防止するために、緊急情報により動画広告の表示が中断した場合に、緊急情報による動画広告の中断時間分だけ動画広告を削ることが考えられる。しかしながら、この場合には、削られた動画広告については表示が行われないため、表示スケジュールに組み込まれている動画広告の内容を全部表示させることができないという問題点がある。
【０００６】
この発明は、上記のような課題を解決するためになされたものであり、この発明の１つの目的は、緊急情報により動画広告の表示が中断した場合にも、表示スケジュールに組み込まれている動画広告の内容を全部表示させつつ、予定期間内に、予定回数の動画広告の表示を行うことが可能な自動販売機および自動販売機システムを提供することである。
【課題を解決するための手段】
【０００７】
上記目的を達成するために、この発明の第１の局面による自動販売機は、動画広告を表示する表示部と、予め決められた表示スケジュールに従って、表示部に順次異なる動画広告を表示させる制御を行う制御部と、を備え、制御部は、緊急情報により表示部への動画広告の表示が中断した場合、緊急情報による動画広告の中断時間分だけ時間を短縮するように、緊急情報により中断された後の動画広告の表示速度を大きくする制御を行うように構成されている。なお、本願明細書では、緊急情報とは、予め決められた表示スケジュール外の割り込み情報を意味し、たとえば、災害に関する情報、突発的な催し（コンサートなど）に関する情報などを含む。
【０００８】
この発明の第１の局面による自動販売機では、上記のように、緊急情報により中断された後の動画広告の表示速度を大きくする制御を行うことにより、緊急情報により動画広告の表示が中断した場合に、緊急情報による動画広告の中断時間分だけ表示スケジュールをずらす場合と異なり、表示スケジュールに遅延が生じないので、予定期間内（スケジュールされた期間内）に、予定回数の動画広告の表示（表示スケジュール通りの動画広告の表示）を行うことができる。また、緊急情報により中断された後の動画広告の表示速度を大きくする制御を行うことにより、緊急情報により動画広告の表示が中断した場合に、緊急情報による動画広告の中断時間分だけ動画広告を削る場合と異なり、削られた動画広告が生じないので、表示スケジュールに組み込まれている動画広告の内容を全部表示させることができる。これらの結果、緊急情報により動画広告の表示が中断した場合にも、表示スケジュールに組み込まれている動画広告の内容を全部表示させつつ、予定期間内に、予定回数の動画広告の表示（表示スケジュール通りの動画広告の表示）を行うことが可能な自動販売機を提供することができる。
【０００９】
上記第１の局面による自動販売機において、好ましくは、制御部は、中断時間分だけ時間を短縮するように、複数の動画広告の表示速度を大きくする制御を行うように構成されている。このように構成すれば、複数の動画広告により中断時間分の時間の短縮を行うことができるので、個々の動画広告の表示速度の増加率を小さくすることができる。その結果、動画広告が過度に大きな速度で表示されることを抑制することができるので、動画広告の表示速度を大きくする場合にも、動画広告が見にくくなることを抑制することができる。また、複数の動画広告により中断時間分の時間の短縮を行うことができるので、中断時間が長いために単一の動画広告だけでは中断時間分の時間の短縮を行うことができない場合にも、中断時間分の時間の短縮を確実に行うことができる。
【００１０】
上記第１の局面による自動販売機において、好ましくは、制御部は、中断時間に応じて、表示速度を大きくする動画広告の数を決定する制御を行うように構成されている。このように構成すれば、中断時間に応じて中断時間分の時間の短縮を行う動画広告の数を調整することができるので、中断時間が長くなった場合にも、動画広告の表示速度の増加率が過度に大きくなることを確実に抑制することができる。
【００１１】
上記第１の局面による自動販売機において、好ましくは、制御部は、緊急情報による中断から動画広告の表示が再開した場合、緊急情報により中断された動画広告の続きについては通常の表示速度により表示しつつ、緊急情報により中断された動画広告よりも後の動画広告の表示速度を大きくする制御を行うように構成されている。ここで、緊急情報による動画広告の中断時間が予め分からない場合、緊急情報による動画広告の中断の終了後でなければ、動画広告の表示速度の増加に関する処理を行うことができない。そこで、上記のように、緊急情報により中断された動画広告の続きを通常の表示速度により表示すれば、緊急情報による動画広告の中断の終了後に、極力長い時間を確保することができるので、緊急情報により中断された動画広告の続きを表示している間に、動画広告の表示速度の増加に関する処理を行うことができる。
【００１２】
上記第１の局面による自動販売機において、好ましくは、制御部は、動画広告のフレームを間引くことにより、動画広告の表示速度を大きくする制御を行うように構成されている。このように構成すれば、動画広告のフレームを間引くことにより、簡単かつ確実に動画広告の表示速度を大きくすることができる。
【００１３】
この場合、好ましくは、制御部は、動画広告のフレームを一定間隔毎に間引くことにより、動画広告の表示速度を大きくする制御を行うように構成されている。このように構成すれば、連続したフレームを間引く場合に比べて、動画の滑らかさが損なわれることを抑制することができるので、動画広告のフレームを間引いた場合にも、フレームを間引いた動画広告が視聴者に違和感を与えることを抑制することができる。
【００１４】
上記動画広告のフレームを間引く構成において、好ましくは、制御部は、動画広告のフレーム間における画像の変化率に基づいて、間引きを行う動画広告のフレームを決定するとともに、決定された動画広告のフレームを間引くことにより、動画広告の表示速度を大きくする制御を行うように構成されている。このように構成すれば、フレーム間の画像の変化率が小さいフレームを間引くことができるので、動画の滑らかさが損なわれることをより確実に抑制することができる。その結果、動画広告のフレームを間引いた場合にも、フレームを間引いた動画広告が視聴者に違和感を与えることをより確実に抑制することができる。
【００１５】
上記第１の局面による自動販売機において、好ましくは、制御部は、動画広告のフレームレートを大きくすることにより、動画広告の表示速度を大きくする制御を行うように構成されている。このように構成すれば、動画広告のフレームレートを大きくすることにより、簡単かつ確実に動画広告の表示速度を大きくすることができる。
【００１６】
上記第１の局面による自動販売機において、好ましくは、制御部は、表示スケジュールにおいて表示期間が重なる複数の動画広告を、表示部の画面を分割して表示部に同時に表示させる制御を行うように構成されている。このように構成すれば、単一の動画広告のみが表示部に表示される場合と異なり、複数の動画広告の表示期間が重なるように表示スケジュールを組むことができるので、表示スケジュールの自由度を向上させることができる。また、複数の動画広告を表示部に同時に表示させることにより、動画広告の表示回数を増加させることができるので、動画広告による宣伝効果を高めることができる。また、動画広告の視聴者は、複数の動画広告を同時に見ることができる。
【００１７】
この発明の第２の局面による自動販売機システムは、動画広告を表示する表示部を含み、予め決められた表示スケジュールに従って、表示部に順次異なる動画広告を表示させる自動販売機と、自動販売機に動画広告を配信する広告配信サーバと、を備え、緊急情報により表示部への動画広告の表示が中断した場合、緊急情報による動画広告の中断時間分だけ時間を短縮するように、緊急情報により中断された後の動画広告の表示速度を大きくする制御を行うように構成されている。
【００１８】
この発明の第２の局面による自動販売機システムでは、上記のように構成することにより、上記第１の局面による自動販売機と同様に、緊急情報により動画広告の表示が中断した場合にも、表示スケジュールに組み込まれている動画広告の内容を全部表示させつつ、予定期間内に、予定回数の動画広告の表示（表示スケジュール通りの動画広告の表示）を行うことが可能な自動販売機システムを提供することができる。
【００１９】
この発明の第３の局面による自動販売機は、広告を表示する表示部と、予め決められた表示スケジュールに従って、表示部に順次異なる広告を表示させる制御を行う制御部と、を備え、制御部は、表示スケジュールにおいて表示期間が重なる複数の広告を、表示部の画面を分割して表示部に同時に表示させる制御を行うように構成されている。
【００２０】
この発明の第３の局面による自動販売機では、上記のように構成することにより、単一の広告のみが表示部に表示される場合と異なり、複数の広告の表示期間が重なるように表示スケジュールを組むことができるので、表示スケジュールの自由度を向上させることができる。また、複数の広告を表示部に同時に表示させることにより、広告の表示回数を増加させることができるので、広告による宣伝効果を高めることができる。また、広告の視聴者は、複数の広告を同時に見ることができる。
【００２１】
上記第３の局面による自動販売機において、好ましくは、制御部は、表示スケジュールにおいて表示期間が重なる広告の表示が開始される毎に、表示が開始された広告による表示部の画面の分割を行うように構成されている。このように構成すれば、適切なタイミングにおいて、表示部の画面の分割を行うことができるので、複数の広告を効果的に表示部に同時に表示させることができる。
【００２２】
この場合、好ましくは、制御部は、表示スケジュールにおいて表示期間が重なる広告の表示が終了される毎に、表示が終了された広告による表示部の画面の分割を解除する制御を行うように構成されている。このように構成すれば、適切なタイミングにおいて、表示部の画面の分割を行うことができるとともに、適切なタイミングにおいて、表示部の画面の分割を解除することができるので、複数の広告をより効果的に表示部に同時に表示させることができる。
【００２３】
上記第３の局面による自動販売機において、好ましくは、分割表示状態の表示部の画面には、表示位置毎に優先度が設定されており、制御部は、優先度に従って表示開始時刻順に並ぶように、複数の広告を分割表示状態の表示部に表示させる制御を行うように構成されている。このように構成すれば、優先度が高いために目立ちやすい（視聴者への訴求効果が高い）表示位置を、表示開始時刻が早い広告に割り当てることができるので、表示開始時刻が早い広告を目立たせつつ、表示部の画面を分割して複数の広告を表示部に同時に表示させることができる。また、優先度に従って表示開始時刻順に並ぶように、複数の広告を分割表示状態の表示部に表示させる制御を連続して行う場合、優先度が高いために目立ちやすい表示位置を、複数の広告の各々に表示開始時刻順に順繰りに割り当てることができる。その結果、優先度が高いために目立ちやすい表示位置を、複数の広告の各々に比較的均等に割り当てることができるので、複数の広告を極力公平に表示させることができる。
【００２４】
上記第３の局面による自動販売機において、好ましくは、分割表示状態の表示部の画面には、表示位置毎に優先度が設定されており、制御部は、優先度に従って表示終了時刻順に並ぶように、複数の広告を分割表示状態の表示部に表示させる制御を行うように構成されている。このように構成すれば、複数の広告のうちに表示開始時刻が他の広告よりも遅いが表示終了時刻が他の広告よりも早い広告（表示時間が短い広告）がある場合、優先度が高いために目立ちやすい（視聴者への訴求効果が高い）表示位置を、表示時間が短い広告に割り当てることができる。その結果、表示時間が短い広告を目立たせつつ、表示部の画面を分割して複数の広告を表示部に同時に表示させることができる。
【００２５】
上記第３の局面による自動販売機において、好ましくは、制御部は、少なくとも１つの広告の表示位置が保持されるように、表示部の画面を分割表示状態から次の分割表示状態に遷移させる制御を行うように構成されている。このように構成すれば、表示位置が保持された広告については、表示部の画面の状態が遷移しても位置が変わらないようにすることができるので、表示部の画面の状態の遷移時に広告の表示位置が変わることに起因して、広告が見にくくなることを抑制することができる。
【００２６】
上記第３の局面による自動販売機において、好ましくは、制御部は、広告の表示位置が変わるように、表示部の画面を分割表示状態から次の分割表示状態に遷移させる制御を行うように構成されている。このように構成すれば、表示部の画面の状態の遷移時に広告の表示位置が変わることにより、視聴者に目新しさを訴求することができるので、視聴者の視線を広告に集めることができる。
【００２７】
上記第３の局面による自動販売機において、好ましくは、制御部は、複数の広告のうちの所定の広告に表示位置の制限または表示サイズの制限が指定されている場合、表示部の画面の分割を行う場合に、指定された表示位置の制限または表示サイズの制限を満たすように、所定の広告を表示部に表示させる制御を行うように構成されている。このように構成すれば、広告主が事前に自身の広告に対して表示位置の制限を指定することにより、表示部の画面の分割を行う場合にも、目立たちにくい（視聴者への訴求効果が低い）表示位置に自身の広告が表示されることを抑制することができる。また、広告主が事前に自身の広告に対して表示サイズの制限を指定することにより、表示部の画面の分割を行う場合にも、目立たちにくい（視聴者への訴求効果が低い）表示サイズにより自身の広告が表示されることを抑制することができる。
【００２８】
上記第３の局面による自動販売機において、好ましくは、表示した広告の表示時間、表示位置、および、表示サイズに基づいて、広告の表示費用に関する値が取得されるように構成されている。ここで、表示部の画面を分割して複数の広告を表示部に同時に表示させる場合、表示位置や表示サイズに応じて視聴者への訴求効果が異なるため、実際に表示した表示位置や表示サイズを考慮した広告の表示実績に応じて広告の表示費用を広告主に請求しなければ、不公平さが生じる。そこで、上記のように構成すれば、広告の表示実績に応じて、広告の表示費用に関する値を取得することができるので、表示部の画面を分割して複数の広告を表示部に同時に表示させる場合にも、公平な広告の表示費用を広告主に請求することができる。
【発明の効果】
【００２９】
本発明によれば、上記のように、緊急情報により動画広告の表示が中断した場合にも、表示スケジュールに組み込まれている動画広告の内容を全部表示させつつ、予定期間内に、予定回数の動画広告の表示を行うことができる。
【図面の簡単な説明】
【００３０】
【図１】本発明の第１〜第６実施形態による自動販売機システムを示す模式的な図である。
【図２】本発明の第１〜第６実施形態による自動販売機を示すブロック図である。
【図３】本発明の第１〜第６実施形態による広告配信サーバを示すブロック図である。
【図４】（Ａ）は、本発明の第１実施形態による自動販売機の動画広告が表示スケジュール通りに表示された場合を説明するための図であり、（Ｂ）は、動画広告が中断されてかつ動画広告の表示速度の変更が行われない場合を説明するための図であり、（Ｃ）は、本発明の第１実施形態による自動販売機の動画広告が中断されてかつ動画広告の表示速度の変更が行われる場合を説明するための図である。
【図５】（Ａ）は、本発明の第１実施形態による自動販売機のフレームの間引き前の動画広告のフレームを説明するための図であり、（Ｂ）は、本発明の第１実施形態による自動販売機のフレームの間引き後の動画広告のフレームを説明するための図である。
【図６】本発明の第２実施形態による自動販売機の動画広告が中断されてかつ動画広告の表示速度の変更が行われる場合を説明するための図である。
【図７】（Ａ）は、本発明の第３実施形態による自動販売機のフレーム間の変化率の取得を説明するための図であり、（Ｂ）は、本発明の第３実施形態による自動販売機のフレームの間引き前の動画広告のフレームを説明するための図であり、（Ｃ）は、本発明の第３実施形態による自動販売機のフレームの間引き後の動画広告のフレームを説明するための図である。
【図８】（Ａ）は、本発明の第４実施形態による自動販売機のフレームレートの変更前の動画広告のフレームを説明するための図であり、（Ｂ）は、本発明の第４実施形態による自動販売機のフレームレートの変更後の動画広告のフレームを説明するための図である。
【図９】本発明の第６実施形態による広告配信サーバの広告表示スケジュールを説明するための図である。
【図１０】本発明の第６実施形態による自動販売機の表示開始時刻順に表示する場合の分割表示制御を説明するための図である。
【図１１】（Ａ）は、本発明の第６実施形態による自動販売機の表示部の２分割表示状態の画面の優先度を説明するための図であり、（Ｂ）は、本発明の第６実施形態による自動販売機の表示部の３分割表示状態の画面の優先度を説明するための図であり、（Ｃ）は、本発明の第６実施形態による自動販売機の表示部の４分割表示状態の画面の優先度を説明するための図である。
【図１２】本発明の第６実施形態による自動販売機の表示終了時刻順に表示する場合の分割表示制御を説明するための図である。
【図１３】本発明の第６実施形態による自動販売機の表示位置が保持される場合の分割表示制御を説明するための図である。
【図１４】本発明の第６実施形態による自動販売機の表示位置が変わる場合の分割表示制御を説明するための図である。
【図１５】本発明の第６実施形態による自動販売機の表示位置の制限が指定されている場合の分割表示制御を説明するための図である。
【図１６】本発明の第６実施形態による自動販売機の表示サイズの制限が指定されている場合の分割表示制御を説明するための図である。
【図１７】本発明の第６実施形態による自動販売機の広告の表示費用の取得を説明するための図である。
【発明を実施するための形態】
【００３１】
以下、本発明を具体化した実施形態を図面に基づいて説明する。
【００３２】
［第１実施形態］
図１〜図５を参照して、第１実施形態による自動販売機システム１００の構成について説明する。
【００３３】
（自動販売機システムの構成）
図１に示すように、自動販売機システム１００は、自動販売機１０と、広告配信サーバ２０とを備えている。自動販売機１０は、飲料（缶飲料、ビン飲料、ペットボトル飲料、カップ飲料など）などの商品Ｃ（図２参照）を無人で販売する装置である。広告配信サーバ２０は、自動販売機１０に動画広告Ａを配信する装置である。自動販売機１０と広告配信サーバ２０とは、ネットワークＮを介して、互いに通信可能に接続されている。ネットワークＮは、たとえば、インターネットである。なお、動画広告Ａは、広告主（図示せず）から広告配信サーバ２０に投稿されて記憶される。広告配信サーバ２０は、広告主により設定された動画広告Ａの表示条件（表示日時など）に応じて、後述する表示スケジュールＳＣ１（図３参照）を作成して、動画広告Ａを自動販売機１０に配信する。
【００３４】
図２に示すように、自動販売機１０は、商品収納部１１と、金銭処理部１２と、商品搬送部１３とを備えている。商品収納部１１は、自動販売機１０が販売する商品Ｃを収納する収納庫である。商品収納部１１には、たとえば、複数種類の商品Ｃが収納されている。金銭処理部１２は、利用者が商品Ｃを購入する際に投入する紙幣や硬貨などの金銭を処理する。商品搬送部１３は、利用者により選択された商品Ｃを商品収納部１１から商品取出し口（図示せず）に搬送する。
【００３５】
また、自動販売機１０は、表示部１４を備えている。表示部１４は、たとえば液晶ディスプレイを含み、情報を表示可能に構成されている。また、表示部１４は、広告表示部１４ａと、商品表示部１４ｂとを含んでいる。広告表示部１４ａは、動画広告Ａを表示するように構成されている。商品表示部１４ｂは、商品Ｃを示す画像、商品Ｃの値段を示す画像などを表示するように構成されている。また、商品表示部１４ｂは、タッチパネルにより構成された表示部兼操作部である。利用者は、商品表示部１４ｂに表示された商品Ｃを示す画像をタッチ操作することにより、購入する商品Ｃを選択可能である。表示部１４は、自動販売機１０の前面部に設けられている。
【００３６】
また、自動販売機１０は、記憶部１５と、通信部１６と、制御部１７とを備えている。記憶部１５は、たとえばフラッシュメモリを含む記憶媒体であり、情報を記憶可能に構成されている。記憶部１５は、たとえば、動画広告Ａに関する情報が記憶されるように構成されている。動画広告Ａに関する情報は、たとえば、動画広告Ａ、動画広告Ａの表示スケジュールＳＣ１（図３参照）などである。通信部１６は、通信用のインターフェースであり、自動販売機１０と広告配信サーバ２０とを通信可能に接続する。制御部１７は、ＣＰＵなどのプロセッサ、メモリなどを含んでおり、自動販売機１０の動作を制御する。
【００３７】
図３に示すように、広告配信サーバ２０は、記憶部２１と、通信部２２と、制御部２３とを備えている。記憶部２１は、たとえばフラッシュメモリを含む記憶媒体であり、情報を記憶可能に構成されている。記憶部２１は、動画広告Ａの表示スケジュールＳＣ１、動画広告ＡのデータベースＤＢが記憶されるように構成されている。動画広告Ａの表示スケジュールＳＣ１は、動画広告Ａのタイムテーブルを含んでいる。動画広告Ａのタイムテーブルは、動画広告Ａの表示日時と表示対象の動画広告Ａとを対応付けた情報である。動画広告ＡのデータベースＤＢは、互いに異なる複数（多数）の動画広告Ａを含むように構築されている。通信部２２は、通信用のインターフェースであり、広告配信サーバ２０と自動販売機１０とを通信可能に接続する。制御部２３は、ＣＰＵなどのプロセッサ、メモリなどを含んでおり、広告配信サーバ２０の動作を制御する。
【００３８】
（動画広告の表示に関する構成）
図４（Ａ）に示すように、自動販売機１０の制御部１７は、予め決められた表示スケジュールＳＣ１に従って、表示部１４の広告表示部１４ａに順次異なる動画広告Ａを表示させる制御を行うように構成されている。
【００３９】
たとえば、自動販売機１０の制御部１７は、まず、表示時間が１５秒間である１番目の動画広告Ａを、８時３０分００秒から８時３０分１５秒までの１５秒間にわたって、表示部１４の広告表示部１４ａに表示させる制御を行う。そして、自動販売機１０の制御部１７は、表示時間が１５秒間である２番目の動画広告Ａを、１番目の動画広告Ａの終了時刻である８時３０分１５秒から８時３０分３０秒までの１５秒間にわたって、表示部１４の広告表示部１４ａに表示させる制御を行う。そして、自動販売機１０の制御部１７は、表示時間が４５秒間である３番目の動画広告Ａを、２番目の動画広告Ａの終了時刻である８時３０分３０秒から８時３１分１５秒までの４５秒間にわたって、表示部１４の広告表示部１４ａに表示させる制御を行う。詳細な説明は省略するが、その後も同様に、予め決められた表示スケジュールＳＣ１に従って、表示部１４の広告表示部１４ａへの動画広告Ａの表示が行われる。
【００４０】
ここで、図４（Ｂ）に示すように、所定の配信源から、緊急情報Ｅが配信されることがある。緊急情報Ｅは、たとえば、災害に関する情報、突発的な催し（コンサートなど）に関する情報などである。表示スケジュールＳＣ１外の割り込み情報である緊急情報Ｅが受信された場合、自動販売機１０の制御部１７は、表示中の動画広告Ａの表示部１４への表示を中断して、表示部１４への緊急情報Ｅを表示させる制御を行うように構成されている。また、自動販売機１０の制御部１７は、緊急情報Ｅの表示部１４への表示が終了した場合、緊急情報Ｅにより中断された動画広告Ａの続きから、動画広告Ａの表示部１４への表示を再開するように構成されている。この際、緊急情報Ｅによる動画広告Ａの中断時間Ｔ分だけ表示スケジュールＳＣ１をずらすと、中断時間Ｔ分だけ表示スケジュールＳＣ１に遅延が生じる。なお、中断時間Ｔは、たとえば、数秒〜数分程度の時間である。
【００４１】
そこで、第１実施形態では、図４（Ｃ）に示すように、自動販売機１０の制御部１７は、緊急情報Ｅにより表示部１４への動画広告Ａの表示が中断した場合、緊急情報Ｅによる動画広告Ａの中断時間Ｔ分だけ時間を短縮するように、緊急情報Ｅにより中断された後の動画広告Ａの表示速度を大きくする制御を行うように構成されている。また、自動販売機１０の制御部１７は、緊急情報Ｅによる中断から動画広告Ａの表示が再開した場合、緊急情報Ｅにより中断された動画広告Ａの続きについては通常の表示速度により表示しつつ、緊急情報Ｅにより中断された動画広告Ａよりも後の動画広告Ａの表示速度（再生速度）を大きくする制御を行うように構成されている。
【００４２】
具体的には、まず、自動販売機１０の制御部１７は、表示速度の増加対象の動画広告Ａを決定する制御を行うように構成されている。第１実施形態では、自動販売機１０の制御部１７は、緊急情報Ｅにより中断された動画広告Ａの直後の動画広告Ａを、表示速度の増加対象の動画広告Ａとして決定する制御を行うように構成されている。そして、自動販売機１０の制御部１７は、表示速度の増加対象として決定された動画広告Ａの表示時間に応じて、中断時間Ｔ分だけ時間を短縮するように、動画広告Ａの表示速度の増加率を取得する制御を行うように構成されている。そして、自動販売機１０の制御部１７は、取得された動画広告Ａの表示速度の増加率分だけ、表示速度の増加対象として決定された動画広告Ａの表示速度を大きくする制御を行うように構成されている。
【００４３】
図４（Ｃ）に示す例では、まず、緊急情報Ｅにより、２番目の動画広告Ａの表示が中断時間Ｔである１５秒分だけ中断される。そして、緊急情報Ｅにより中断された２番目の動画広告Ａの直後の３番目の動画広告Ａが、表示速度の増加対象の動画広告Ａとして決定される。そして、３番目の動画広告Ａの表示時間である４５秒に応じて、中断時間Ｔである１５秒分だけ時間が短縮されるように、３番目の動画広告Ａの表示速度の増加率が取得される。
【００４４】
具体的には、３番目の動画広告Ａの表示速度の増加開始時刻として、中断された２番目の動画広告Ａの終了時刻である８時３０分４５秒が取得される。また、３番目の動画広告Ａの表示速度の増加終了時刻として、３番目の動画広告Ａの通常の終了時刻である８時３１分１５秒が取得される。また、動画広告Ａの表示速度を増加すべき時間として、動画広告Ａの表示速度の増加開始時刻と動画広告Ａの表示速度の増加終了時刻との差である３０秒が取得される。なお、動画広告Ａの表示速度を増加すべき時間である３０秒は、３番目の動画広告Ａの表示時間である４５秒と中断時間Ｔである１５秒との差でもある。そして、３番目の動画広告Ａの表示時間である４５秒を、動画広告Ａの表示速度を増加すべき時間である３０秒により除することにより、３番目の動画広告Ａの表示速度の増加率である１．５（＝４５／３０）が取得される。
【００４５】
緊急情報Ｅによる中断から動画広告Ａの表示が再開すると、緊急情報Ｅにより中断された２番目の動画広告Ａの続きが通常の表示速度（１倍速）により表示される。そして、２番目の動画広告Ａの表示が終了されると、表示速度の増加対象の動画広告Ａとして決定された３番目の動画広告Ａが表示される。この際、動画広告Ａの表示速度の増加率である１．５分だけ表示速度が大きくされた状態で、３番目の動画広告Ａが表示される。具体的には、通常の表示時間が４５秒である３番目の動画広告Ａの表示時間が３０秒に短縮された状態で、３番目の動画広告Ａが始めから終わりまで表示される。なお、表示速度の増加対象として決定されなかった４番目以降の動画広告Ａについては、通常の表示速度（１倍速）により表示される。
【００４６】
また、第１実施形態では、図５（Ａ）（Ｂ）に示すように、自動販売機１０の制御部１７は、動画広告ＡのフレームＦを間引く（削除する）ことにより、動画広告Ａの表示速度を大きくするように構成されている。具体的には、自動販売機１０の制御部１７は、動画広告ＡのフレームＦを一定間隔毎に間引くことにより、動画広告Ａの表示速度を大きくするように構成されている。この際、自動販売機１０の制御部１７は、フレームレート（フレーム間隔）を変更することなく、動画広告ＡのフレームＦを間引くように構成されている。つまり、自動販売機１０の制御部１７は、フレームＦを間引く前のフレーム間隔Ｆ１（通常のフレーム間隔）と、フレームＦを間引いた後のフレーム間隔Ｆ２（表示速度の増加時のフレーム間隔）とが同じになるように、動画広告ＡのフレームＦを間引くように構成されている。
【００４７】
図５（Ａ）（Ｂ）に示す例では、フレームＦを間引く前の動画広告Ａのフレームレートが６０ｆｐｓであり、フレーム間隔Ｆ１が１６．６ｍｓである。また、フレームＦを間引いた後の動画広告Ａのフレームレートも６０ｆｐｓであり、フレーム間隔Ｆ２も１６．６ｍｓである。また、動画広告Ａの表示速度の増加率が１．５であるため、動画広告ＡのフレームＦは、３枚毎に１枚間引かれている。つまり、動画広告Ａにおいて、３の倍数のフレームＦが間引かれている。
【００４８】
（第１実施形態の効果）
第１実施形態では、以下のような効果を得ることができる。
【００４９】
第１実施形態では、上記のように、制御部１７を、緊急情報Ｅにより表示部１４への動画広告Ａの表示が中断した場合、緊急情報Ｅによる動画広告Ａの中断時間Ｔ分だけ時間を短縮するように、緊急情報Ｅにより中断された後の動画広告Ａの表示速度を大きくする制御を行うように構成する。これにより、緊急情報Ｅにより動画広告Ａの表示が中断した場合に、緊急情報Ｅによる動画広告Ａの中断時間Ｔ分だけ表示スケジュールＳＣ１をずらす場合と異なり、表示スケジュールＳＣ１に遅延が生じないので、予定期間内（スケジュールされた期間内）に、予定回数の動画広告Ａの表示（表示スケジュールＳＣ１通りの動画広告Ａの表示）を行うことができる。また、緊急情報Ｅにより中断された後の動画広告Ａの表示速度を大きくする制御を行うことにより、緊急情報Ｅにより動画広告Ａの表示が中断した場合に、緊急情報Ｅによる動画広告Ａの中断時間Ｔ分だけ動画広告Ａを削る場合と異なり、削られた動画広告Ａが生じないので、表示スケジュールＳＣ１に組み込まれている動画広告Ａの内容を全部表示させることができる。これらの結果、緊急情報Ｅにより動画広告Ａの表示が中断した場合にも、表示スケジュールＳＣ１に組み込まれている動画広告Ａの内容を全部表示させつつ、予定期間内に、予定回数の動画広告Ａの表示（表示スケジュールＳＣ１通りの動画広告Ａの表示）を行うことが可能な自動販売機１０を提供することができる。
【００５０】
また、第１実施形態では、上記のように、制御部１７を、緊急情報Ｅによる中断から動画広告Ａの表示が再開した場合、緊急情報Ｅにより中断された動画広告Ａの続きについては通常の表示速度により表示しつつ、緊急情報Ｅにより中断された動画広告Ａよりも後の動画広告Ａの表示速度を大きくする制御を行うように構成する。ここで、緊急情報Ｅによる動画広告Ａの中断時間Ｔが予め分からない場合、緊急情報Ｅによる動画広告Ａの中断の終了後でなければ、動画広告Ａの表示速度の増加に関する処理を行うことができない。そこで、上記のように、緊急情報Ｅにより中断された動画広告Ａの続きを通常の表示速度により表示することにより、緊急情報Ｅによる動画広告Ａの中断の終了後に、極力長い時間を確保することができるので、緊急情報Ｅにより中断された動画広告Ａの続きを表示している間に、動画広告Ａの表示速度の増加に関する処理を行うことができる。
【００５１】
また、第１実施形態では、上記のように、制御部１７を、動画広告ＡのフレームＦを間引くことにより、動画広告Ａの表示速度を大きくする制御を行うように構成する。これにより、動画広告ＡのフレームＦを間引くことにより、簡単かつ確実に動画広告Ａの表示速度を大きくすることができる。
【００５２】
また、第１実施形態では、上記のように、制御部１７を、動画広告ＡのフレームＦを一定間隔毎に間引くことにより、動画広告Ａの表示速度を大きくする制御を行うように構成する。これにより、連続したフレームＦを間引く場合に比べて、動画の滑らかさが損なわれることを抑制することができるので、動画広告ＡのフレームＦを間引いた場合にも、フレームＦを間引いた動画広告Ａが視聴者に違和感を与えることを抑制することができる。
【００５３】
［第２実施形態］
次に、図１〜図３および図６を参照して、第２実施形態について説明する。この第２実施形態では、上記第１実施形態とは異なり、複数の動画広告の表示速度を大きくする例について説明する。なお、上記第１実施形態と同一の構成については、図中において同じ符号を付して図示し、その説明を省略する。
【００５４】
（自動販売機システムの構成）
本発明の第２実施形態による自動販売機システム２００は、図１〜図３に示すように、自動販売機１１０を備える点で、上記第１実施形態による自動販売機システム１００と相違する。また、自動販売機１１０は、制御部１１７を備える点で、上記第１実施形態による自動販売機１０と相違する。
【００５５】
第２実施形態では、図６に示すように、自動販売機１１０の制御部１１７は、中断時間Ｔ分だけ時間を短縮するように、複数の動画広告Ａの表示速度を大きくする制御を行うように構成されている。
【００５６】
具体的には、まず、自動販売機１１０の制御部１１７は、中断時間Ｔに応じて、表示速度を大きくする動画広告Ａの数を決定する制御を行うように構成されている。そして、自動販売機１１０の制御部１１７は、決定された数分だけ、表示速度の増加対象の動画広告Ａを決定する制御を行うように構成されている。第２実施形態では、自動販売機１１０の制御部１１７は、緊急情報Ｅにより中断された動画広告Ａの直後から連続する複数の動画広告Ａを、表示速度の増加対象の動画広告Ａとして決定する制御を行うように構成されている。そして、自動販売機１１０の制御部１１７は、表示速度の増加対象として決定された複数の動画広告Ａの表示時間に応じて、中断時間Ｔ分だけ時間を短縮するように、複数の動画広告Ａの表示速度の増加率を取得する制御を行うように構成されている。そして、自動販売機１１０の制御部１１７は、取得された動画広告Ａの表示速度の増加率分だけ、表示速度の増加対象として決定された複数の動画広告Ａの表示速度を大きくする制御を行うように構成されている。
【００５７】
図６に示す例では、まず、緊急情報Ｅにより、２番目の動画広告Ａの表示が中断時間Ｔである１５秒分だけ中断される。そして、中断時間Ｔである１５秒に応じて、表示速度を大きくする動画広告Ａの数として１５個が決定される。つまり、中断時間Ｔの秒数が、表示速度を大きくする動画広告Ａの数として決定される。そして、緊急情報Ｅにより中断された２番目の動画広告Ａの直後から１５個分の動画広告Ａ（３番目〜１７番目の）が、表示速度の増加対象の動画広告Ａとして決定される。なお、３番目の動画広告Ａの表示時間は４５秒であり、４番目〜１７番目の動画広告Ａの表示時間はいずれも１５秒である。そして、３番目〜１７番目の動画広告Ａの合計の表示時間である４分１５秒（２５５秒）に応じて、中断時間Ｔである１５秒分だけ時間が短縮されるように、３番目〜１７番目の動画広告Ａの表示速度の増加率が取得される。
【００５８】
具体的には、３番目〜１７番目の動画広告Ａの表示速度の増加開始時刻として、中断された２番目の動画広告Ａの終了時刻である８時３０分４５秒が取得される。また、３番目〜１７番目の動画広告Ａの表示速度の増加終了時刻として、１７番目の動画広告Ａの通常の終了時刻である８時３４分４５秒が取得される。また、動画広告Ａの表示速度を増加すべき時間として、動画広告Ａの表示速度の増加開始時刻と動画広告Ａの表示速度の増加終了時刻との差である４分００秒（２４０秒）が取得される。なお、動画広告Ａの表示速度を増加すべき時間である２４０秒は、３番目〜１７番目の動画広告Ａの表示時間である２５５秒と中断時間Ｔである１５秒との差でもある。そして、３番目〜１７番目の動画広告Ａの表示時間である２５５秒を、動画広告Ａの表示速度を増加すべき時間である２４０秒により除することにより、３番目〜１７番目の動画広告Ａの表示速度の増加率である１．０６２５（＝２５５／２４０）が取得される。
【００５９】
緊急情報Ｅによる中断から動画広告Ａの表示が再開すると、緊急情報Ｅにより中断された２番目の動画広告Ａの続きが通常の表示速度（１倍速）により表示される。そして、２番目の動画広告Ａの表示が終了されると、表示速度の増加対象の動画広告Ａとして決定された３番目〜１７番目の動画広告Ａが順次表示される。この際、動画広告Ａの表示速度の増加率である１．０６２５分だけ表示速度が大きくされた状態で、３番目〜１７番目の動画広告Ａがそれぞれ表示される。具体的には、通常の表示時間が２５５秒である３番目〜１７番目の動画広告Ａの表示時間が２４０秒に短縮された状態で、３番目〜１７番目の動画広告Ａのそれぞれが始めから終わりまで表示される。なお、表示速度の増加対象として決定されなかった１８番目以降の動画広告Ａについては、通常の表示速度（１倍速）により表示される。
【００６０】
なお、第２実施形態においても、第１実施形態と同様に、複数の動画広告ＡのフレームＦを間引くことにより、動画広告Ａの表示速度を大きくすることが可能である。この際、たとえば、第１実施形態と同様に、複数の動画広告ＡのフレームＦを一定間隔毎に間引くことにより、動画広告Ａの表示速度を大きくすることが可能である。
【００６１】
なお、第２実施形態のその他の構成は、上記第１実施形態と同様である。
【００６２】
（第２実施形態の効果）
第２実施形態では、以下のような効果を得ることができる。
【００６３】
第２実施形態では、上記のように、制御部１１７を、中断時間Ｔ分だけ時間を短縮するように、複数の動画広告Ａの表示速度を大きくする制御を行うように構成する。これにより、複数の動画広告Ａにより中断時間Ｔ分の時間の短縮を行うことができるので、個々の動画広告Ａの表示速度の増加率を小さくすることができる。その結果、動画広告Ａが過度に大きな速度で表示されることを抑制することができるので、動画広告Ａの表示速度を大きくする場合にも、動画広告Ａが見にくくなることを抑制することができる。また、複数の動画広告Ａにより中断時間Ｔ分の時間の短縮を行うことができるので、中断時間Ｔが長いために単一の動画広告Ａだけでは中断時間Ｔ分の時間の短縮を行うことができない場合にも、中断時間Ｔ分の時間の短縮を確実に行うことができる。
【００６４】
また、第２実施形態では、上記のように、制御部１１７を、中断時間Ｔに応じて、表示速度を大きくする動画広告Ａの数を決定する制御を行うように構成する。これにより、中断時間Ｔに応じて中断時間Ｔ分の時間の短縮を行う動画広告Ａの数を調整することができるので、中断時間Ｔが長くなった場合にも、動画広告Ａの表示速度の増加率が過度に大きくなることを確実に抑制することができる。
【００６５】
なお、第２実施形態のその他の効果は、上記第１実施形態と同様である。
【００６６】
［第３実施形態］
次に、図１〜図３および図７を参照して、第３実施形態について説明する。この第３実施形態では、上記第１実施形態とは異なり、動画広告のフレーム間における画像の変化率に基づいて間引きを行う動画広告のフレームを決定する例について説明する。なお、上記第１実施形態と同一の構成については、図中において同じ符号を付して図示し、その説明を省略する。
【００６７】
（自動販売機システムの構成）
本発明の第３実施形態による自動販売機システム３００は、図１〜図３に示すように、自動販売機２１０を備える点で、上記第１実施形態による自動販売機システム１００と相違する。また、自動販売機２１０は、制御部２１７を備える点で、上記第１実施形態による自動販売機１０と相違する。
【００６８】
第３実施形態では、図７（Ａ）〜（Ｃ）に示すように、自動販売機２１０の制御部２１７は、動画広告ＡのフレームＦ間における画像の変化率に基づいて、間引きを行う動画広告ＡのフレームＦを決定する制御を行うように構成されている。
【００６９】
具体的には、図７（Ａ）に示すように、自動販売機２１０の制御部２１７は、まず、基準となるフレームＦである基準フレームＦｓを決定する制御を行うように構成されている。そして、自動販売機２１０の制御部２１７は、決定された基準フレームＦｓと、基準フレームＦｓよりも後のフレームＦである比較フレームＦｃとを比較して、基準フレームＦｓと比較フレームＦｃとの間における画像の変化率を取得する制御を行うように構成されている。そして、自動販売機２１０の制御部２１７は、取得された画像の変化率が予め決められたしきい値未満（たとえば、２０％未満）である場合（画像の変化率が小さい場合）、比較フレームＦｃであるフレームＦを、間引きを行うフレームＦとして決定する制御を行うように構成されている。また、自動販売機２１０の制御部２１７は、取得された画像の変化率が予め決められたしきい値以上（たとえば、２０％以上）である場合（画像の変化率が大きい場合）、比較フレームＦｃであるフレームＦを、間引きを行わないフレームＦとして決定する制御を行うように構成されている。
【００７０】
また、フレームＦ間の比較を行う際、図７（Ｂ）に示すように、自動販売機２１０の制御部２１７は、基準フレームＦｓと比較フレームＦｃとの間における画像の変化率に基づいて基準フレームＦｓを変更しつつ、基準フレームＦｓと比較フレームＦｃとを比較する制御を順次行うように構成されている。具体的には、自動販売機２１０の制御部２１７は、画像の変化率が予め決められたしきい値以上である場合、比較フレームＦｃを新たな基準フレームＦｓとするように、基準フレームＦｓを変更して、次の基準フレームＦｓと比較フレームＦｃとを比較する制御を行うように構成されている。また、自動販売機２１０の制御部２１７は、画像の変化率が予め決められたしきい値未満である場合、基準フレームＦｓを現在の基準フレームＦｓから変更することなく、次の基準フレームＦｓと比較フレームＦｃとを比較する制御を行うように構成されている。
【００７１】
そして、図７（Ｃ）に示すように、自動販売機２１０の制御部２１７は、決定された動画広告ＡのフレームＦを間引くことにより、動画広告Ａの表示速度を大きくする制御を行うように構成されている。この際、自動販売機２１０の制御部２１７は、フレームレート（フレーム間隔）を変更することなく、動画広告ＡのフレームＦを間引くように構成されている。つまり、自動販売機２１０の制御部２１７は、フレームＦを間引く前のフレーム間隔Ｆ３（通常のフレーム間隔）と、フレームＦを間引いた後のフレーム間隔Ｆ４（表示速度の増加時のフレーム間隔）とが同じになるように、動画広告ＡのフレームＦを間引くように構成されている。
【００７２】
図７（Ｂ）に示す例では、まず、１番目のフレームＦが基準フレームＦｓとして決定される。そして、１番目のフレームＦである基準フレームＦｓと、２番目のフレームＦである比較フレームＦｃとが比較される。そして、１番目のフレームＦである基準フレームＦｓと、２番目のフレームＦである比較フレームＦｃとの間における画像の変化率が取得される。そして、画像の変化率が予め決められたしきい値未満であったため、２番目のフレームＦが間引きを行うフレームＦとして決定される。また、画像の変化率が予め決められたしきい値未満であったため、基準フレームＦｓは、１番目のフレームＦから変更されない。
【００７３】
そして、１番目のフレームＦである基準フレームＦｓと、３番目のフレームＦである比較フレームＦｃとが比較される。そして、１番目のフレームＦである基準フレームＦｓと、３番目のフレームＦである比較フレームＦｃとの間における画像の変化率が取得される。そして、画像の変化率が予め決められたしきい値未満であったため、３番目のフレームＦが間引きを行うフレームＦとして決定される。また、画像の変化率が予め決められたしきい値未満であったため、基準フレームＦｓは、１番目のフレームＦから変更されない。
【００７４】
そして、１番目のフレームＦである基準フレームＦｓと、４番目のフレームＦである比較フレームＦｃとが比較される。そして、１番目のフレームＦである基準フレームＦｓと、４番目のフレームＦである比較フレームＦｃとの間における画像の変化率が取得される。そして、画像の変化率が予め決められたしきい値未満であったため、４番目のフレームＦが間引きを行うフレームＦとして決定される。また、画像の変化率が予め決められたしきい値未満であったため、基準フレームＦｓは、１番目のフレームＦから変更されない。
【００７５】
そして、１番目のフレームＦである基準フレームＦｓと、５番目のフレームＦである比較フレームＦｃとが比較される。そして、１番目のフレームＦである基準フレームＦｓと、５番目のフレームＦである比較フレームＦｃとの間における画像の変化率が取得される。そして、画像の変化率が予め決められたしきい値以上であったため、５番目のフレームＦが間引きを行わないフレームＦとして決定される。また、画像の変化率が予め決められたしきい値以上であったため、基準フレームＦｓは、１番目のフレームＦから、比較フレームＦｃであった５番目のフレームＦに変更される。
【００７６】
そして、５番目のフレームＦである基準フレームＦｓと、６番目のフレームＦである比較フレームＦｃとが比較される。そして、５番目のフレームＦである基準フレームＦｓと、６番目のフレームＦである比較フレームＦｃとの間における画像の変化率が取得される。そして、画像の変化率が予め決められたしきい値以上であったため、６番目のフレームＦが間引きを行わないフレームＦとして決定される。また、画像の変化率が予め決められたしきい値以上であったため、基準フレームＦｓは、５番目のフレームＦから、比較フレームＦｃであった６番目のフレームＦに変更される。詳細な説明は省略するが、その後も同様に、基準フレームＦｓが変更されつつ、間引きを行うフレームＦと、間引きを行わないフレームＦとがそれぞれ決定される。そして、決定されたフレームＦの間引きが行われる。
【００７７】
また、フレームＦを間引く前の動画広告Ａのフレームレートが６０ｆｐｓであり、フレーム間隔Ｆ３が１６．６ｍｓである。また、フレームＦを間引いた後の動画広告Ａのフレームレートも６０ｆｐｓであり、フレーム間隔Ｆ４も１６．６ｍｓである。
【００７８】
なお、第３実施形態のその他の構成は、上記第１実施形態と同様である。
【００７９】
（第３実施形態の効果）
第３実施形態では、以下のような効果を得ることができる。
【００８０】
第３実施形態では、上記のように、制御部２１７を、動画広告ＡのフレームＦ間における画像の変化率に基づいて、間引きを行う動画広告ＡのフレームＦを決定するとともに、決定された動画広告ＡのフレームＦを間引くことにより、動画広告Ａの表示速度を大きくする制御を行うように構成する。これにより、フレームＦ間の画像の変化率が小さいフレームＦを間引くことができるので、動画の滑らかさが損なわれることをより確実に抑制することができる。その結果、動画広告ＡのフレームＦを間引いた場合にも、フレームＦを間引いた動画広告Ａが視聴者に違和感を与えることをより確実に抑制することができる。
【００８１】
なお、第３実施形態のその他の効果は、上記第１実施形態と同様である。
【００８２】
［第４実施形態］
次に、図１〜図３および図８を参照して、第４実施形態について説明する。この第４実施形態では、上記第１実施形態とは異なり、フレームレートを大きくすることにより、動画広告の表示速度を大きくする例について説明する。なお、上記第１実施形態と同一の構成については、図中において同じ符号を付して図示し、その説明を省略する。
【００８３】
（自動販売機システムの構成）
本発明の第４実施形態による自動販売機システム４００は、図１〜図３に示すように、自動販売機３１０を備える点で、上記第１実施形態による自動販売機システム１００と相違する。また、自動販売機３１０は、制御部３１７を備える点で、上記第１実施形態による自動販売機１０と相違する。
【００８４】
第４実施形態では、図８（Ａ）（Ｂ）に示すように、自動販売機３１０の制御部３１７は、フレームＦを間引くことなく動画広告Ａのフレームレートを大きくすることにより、動画広告Ａの表示速度を大きくするように構成されている。つまり、自動販売機３１０の制御部３１７は、フレームレートの変更前のフレーム間隔Ｆ５（通常のフレーム間隔）よりも、フレームレートの変更後のフレーム間隔Ｆ６（表示速度の増加時のフレーム間隔）が大きくなるように、動画広告Ａのフレームレートを変更する制御を行うように構成されている。
【００８５】
図８（Ａ）（Ｂ）に示す例では、フレームレートの変更前の動画広告Ａのフレームレートが６０ｆｐｓであり、フレーム間隔Ｆ５が１６．６ｍｓである。また、動画広告Ａの表示速度の増加率が１．５であるため、フレームレートの変更後の動画広告Ａのフレームレートが９０ｆｐｓであり、フレーム間隔Ｆ６が１１．１ｍｓである。なお、フレームレートの変更前後において、フレームＦの数は同じである（フレームＦは間引かれていない）。
【００８６】
なお、第４実施形態のその他の構成は、上記第１実施形態と同様である。
【００８７】
（第４実施形態の効果）
第４実施形態では、以下のような効果を得ることができる。
【００８８】
第４実施形態では、上記のように、制御部３１７を、動画広告Ａのフレームレートを大きくすることにより、動画広告Ａの表示速度を大きくする制御を行うように構成する。これにより、動画広告Ａのフレームレートを大きくすることにより、簡単かつ確実に動画広告Ａの表示速度を大きくすることができる。
【００８９】
なお、第４実施形態のその他の効果は、上記第１実施形態と同様である。
【００９０】
［第５実施形態］
次に、図１〜図３を参照して、第５実施形態について説明する。この第５実施形態では、上記第１〜第４実施形態とは異なり、広告配信サーバにおいて動画広告の表示速度を大きくする制御を行う例について説明する。なお、上記第１実施形態と同一の構成については、図中において同じ符号を付して図示し、その説明を省略する。
【００９１】
（自動販売機システムの構成）
本発明の第５実施形態による自動販売機システム５００は、図１〜図３に示すように、自動販売機４１０と、広告配信サーバ４２０とを備える点で、上記第１実施形態による自動販売機システム１００と相違する。また、自動販売機４１０は、制御部４１７を備える点で、上記第１実施形態による自動販売機１０と相違し、広告配信サーバ４２０は、制御部４２３を備える点で、上記第１実施形態による広告配信サーバ２０と相違する。
【００９２】
第５実施形態では、広告配信サーバ４２０の制御部４２３は、予め決められた表示スケジュールＳＣ１に従って、自動販売機４１０に順次異なる動画広告Ａをリアルタイムに配信する制御を行うように構成されている。自動販売機４１０の制御部４１７は、予め決められた表示スケジュールＳＣ１に従って、広告配信サーバ４２０からリアルタイムに配信された動画広告Ａを表示部１４にリアルタイムに表示させる制御を行うように構成されている。
【００９３】
ここで、第５実施形態では、自動販売機４１０の制御部４１７は、緊急情報Ｅにより自動販売機４１０の表示部１４への動画広告Ａの表示が中断した場合、動画広告Ａの表示が中断したことを広告配信サーバ４２０に通知する制御を行うように構成されている。また、自動販売機４１０からの動画広告Ａの中断の通知を受信した場合、広告配信サーバ４２０の制御部４２３は、緊急情報Ｅによる動画広告Ａの中断時間Ｔ分だけ時間を短縮するように、緊急情報Ｅにより中断された後の動画広告Ａの表示速度を大きくする制御を行うように構成されている。具体的には、広告配信サーバ４２０の制御部４２３は、緊急情報Ｅにより中断された後の動画広告Ａの表示速度を大きくした状態で、自動販売機４１０に動画広告Ａをリアルタイムに配信する制御を行うように構成されている。
【００９４】
広告配信サーバ４２０の制御部４２３は、上記第１実施形態のように、１つの動画広告Ａの表示速度を大きくするように構成されていてもよいし、上記第２実施形態のように、複数の動画広告Ａの表示速度を大きくするように構成されていてもよい。また、広告配信サーバ４２０の制御部４２３は、上記第１および第３実施形態のように、動画広告ＡのフレームＦを間引くことにより、動画広告Ａの表示速度を大きくするように構成されていてもよいし、上記第４実施形態のように、動画広告Ａのフレームレートを大きくすることにより、動画広告Ａの表示速度を大きくするように構成されていてもよい。
【００９５】
なお、第５実施形態のその他の構成は、上記第１実施形態と同様である。
【００９６】
（第５実施形態の効果）
第５実施形態では、以下のような効果を得ることができる。
【００９７】
第５実施形態では、上記のように、広告配信サーバ４２０の制御部４２３を、緊急情報Ｅにより自動販売機４１０の表示部１４への動画広告Ａの表示が中断した場合、緊急情報Ｅによる動画広告Ａの中断時間Ｔ分だけ時間を短縮するように、緊急情報Ｅにより中断された後の動画広告Ａの表示速度を大きくする制御を行うように構成する。これにより、上記第１実施形態による自動販売機１０と同様に、緊急情報Ｅにより動画広告Ａの表示が中断した場合にも、表示スケジュールＳＣ１に組み込まれている動画広告Ａの内容を全部表示させつつ、予定期間内に、予定回数の動画広告Ａの表示（表示スケジュールＳＣ１通りの動画広告Ａの表示）を行うことができる。
【００９８】
なお、第５実施形態のその他の効果は、上記第１実施形態と同様である。
【００９９】
［第６実施形態］
次に、図１〜図３および図９〜図１７を参照して、第６実施形態について説明する。この第６実施形態では、上記第１〜第５実施形態とは異なり、複数の動画広告を分割表示する例について説明する。なお、上記第１実施形態と同一の構成については、図中において同じ符号を付して図示し、その説明を省略する。
【０１００】
（自動販売機システムの構成）
本発明の第６実施形態による自動販売機システム６００は、図１〜図３に示すように、自動販売機５１０を備える点で、上記第１実施形態による自動販売機システム１００と相違する。また、自動販売機５１０は、制御部５１７を備える点で、上記第１実施形態による自動販売機１０と相違する。
【０１０１】
第６実施形態では、図９に示すように、広告配信サーバ２０の記憶部２１は、動画広告Ａの表示スケジュールＳＣ２が記憶されるように構成されている。動画広告Ａの表示スケジュールＳＣ２は、表示期間が重なる複数の動画広告Ａを含んでいる点で、上記第１実施形態の表示スケジュールＳＣ１と相違する。また、動画広告Ａの表示スケジュールＳＣ２では、表示対象の動画広告Ａと、表示位置の制限の指定と、表示サイズの制限の指定とが対応付けられている。なお、表示位置の制限の指定と、表示サイズの制限の指定とは動画広告Ａを広告配信サーバ２０に投稿する際に広告主により行われる。表示位置の制限の指定と、表示サイズの制限の指定との詳細については、後述する。また、動画広告Ａは、特許請求の範囲の「広告」の一例である。
【０１０２】
ここで、第６実施形態では、図１０〜図１４に示すように、自動販売機５１０の制御部５１７は、表示スケジュールＳＣ２において表示期間が重なる複数の動画広告Ａを、表示部１４の広告表示部１４ａの画面１４ａａを分割して表示部１４の広告表示部１４ａに同時に表示させる制御を行うように構成されている。
【０１０３】
たとえば、表示スケジュールＳＣ２において表示期間が重なる動画広告Ａが２つである場合、自動販売機５１０の制御部５１７は、表示部１４の広告表示部１４ａの１つの画面１４ａａを２分割して、この２つの動画広告Ａを表示部１４の広告表示部１４ａに同時に表示させる制御を行う。この場合、表示部１４の広告表示部１４ａの画面１４ａａは、たとえば、１／２サイズの上側の領域と、１／２サイズの下側の領域とに２分割される。
【０１０４】
また、たとえば、表示スケジュールＳＣ２において表示期間が重なる動画広告Ａが３つである場合、自動販売機５１０の制御部５１７は、表示部１４の広告表示部１４ａの１つの画面１４ａａを３分割して、この３つの動画広告Ａを表示部１４の広告表示部１４ａに同時に表示させる制御を行う。この場合、表示部１４の広告表示部１４ａの画面１４ａａは、たとえば、１／２サイズの上側の領域と、１／４サイズの左下側の領域と、１／４サイズの右下側の領域とに３分割される。
【０１０５】
また、たとえば、表示スケジュールＳＣ２において表示期間が重なる動画広告Ａが４つである場合、自動販売機５１０の制御部５１７は、表示部１４の広告表示部１４ａの１つの画面１４ａａを４分割して、この４つの動画広告Ａを表示部１４の広告表示部１４ａに同時に表示させる制御を行う。この場合、表示部１４の広告表示部１４ａの画面１４ａａは、たとえば、１／４サイズの左上側の領域と、１／４サイズの右上側の領域と、１／４サイズの左下側の領域と、１／４サイズの右下側の領域とに４分割される。
【０１０６】
なお、第６実施形態では、説明の便宜上、表示部１４の広告表示部１４ａの画面１４ａａが２〜４分割される例について説明する。しかしながら、表示部１４の広告表示部１４ａの画面１４ａａは、５以上に分割されてもよい。
【０１０７】
自動販売機５１０の制御部５１７は、表示スケジュールＳＣ２において表示期間が重なる動画広告Ａの表示が開始される毎に、表示が開始された動画広告Ａによる表示部１４の広告表示部１４ａの画面１４ａａの分割を行うように構成されている。これにより、自動販売機５１０の制御部５１７は、表示スケジュールＳＣ２において表示期間が重なる動画広告Ａの表示が開始された場合、表示部１４の広告表示部１４ａの画面１４ａａを、全画面表示状態から分割表示状態（たとえば、全画面表示状態から２分割表示状態）、または、分割表示状態から次の分割表示状態（たとえば、２分割表示状態から３分割表示状態）に遷移させるように構成されている。
【０１０８】
また、自動販売機５１０の制御部５１７は、表示スケジュールＳＣ２において表示期間が重なる動画広告Ａの表示が終了される毎に、表示が終了された動画広告Ａによる表示部１４の広告表示部１４ａの画面１４ａａの分割を解除する制御を行うように構成されている。これにより、自動販売機５１０の制御部５１７は、表示スケジュールＳＣ２において表示期間が重なる動画広告Ａの表示が終了された場合、表示部１４の広告表示部１４ａの画面１４ａａを、分割表示状態から全画面表示状態（たとえば、２分割表示状態から全画面表示状態）、または、分割表示状態から次の分割表示状態（たとえば、３分割表示状態から２分割表示状態）に遷移させるように構成されている。
【０１０９】
図１０および図１２〜図１４に示す例では、まず、９時００分００秒に１番目の動画広告Ａの表示が開始される。９時００分００秒から９時００分１０秒までは、互いに表示期間が重なる動画広告Ａがないので、１番目の動画広告Ａが全画面表示状態の画面１４ａａに表示される。そして、９時００分１０秒に２番目の動画広告Ａの表示が開始されると、画面１４ａａ状態が全画面表示状態から２分割表示状態に遷移される。９時００分１０秒から９時００分２０秒までは、１および２番目の動画広告Ａの表示期間が重なるので、１および２番目の動画広告Ａが２分割表示状態の画面１４ａａに表示される。そして、９時００分２０秒に３番目の動画広告Ａの表示が開始されると、画面１４ａａ状態が２分割表示状態から３分割表示状態に遷移される。９時００分２０秒から９時００分２５秒までは、１〜３番目の動画広告Ａの表示期間が重なるので、１〜３番目の動画広告Ａが３分割表示状態の画面１４ａａに表示される。そして、９時００分２５秒に４番目の動画広告Ａの表示が開始されると、画面１４ａａ状態が３分割表示状態から４分割表示状態に遷移される。９時００分２５秒から９時００分３０秒までは、１〜４番目の動画広告Ａの表示期間が重なるので、１〜４番目の動画広告Ａが４分割表示状態の画面１４ａａに表示される。
【０１１０】
そして、９時００分３０秒に１番目の動画広告Ａの表示が終了されると、画面１４ａａ状態が４分割表示状態から３分割表示状態に遷移される。９時００分３０秒から９時００分３５秒までは、２〜４番目の動画広告Ａの表示期間が重なるので、２〜４番目の動画広告Ａが３分割表示状態の画面１４ａａに表示される。そして、９時００分３５秒に３番目の動画広告Ａの表示が終了されると、画面１４ａａ状態が３分割表示状態から２分割表示状態に遷移される。９時００分３５秒から９時００分４０秒までは、２および４番目の動画広告Ａの表示期間が重なるので、２および４番目の動画広告Ａが２分割表示状態の画面１４ａａに表示される。そして、９時００分４０秒に２番目の動画広告Ａの表示が終了されると、画面１４ａａ状態が２分割表示状態から全画面表示状態に遷移される。９時００分４０秒からは、互いに表示期間が重なる動画広告Ａがないので、４番目の動画広告Ａが全画面表示状態の画面１４ａａに表示される。
【０１１１】
〈表示開始時刻順に並べる場合〉
たとえば、図１０および図１１（Ａ）〜（Ｃ）に示すように、自動販売機５１０の制御部５１７は、予め決められた優先度に従って表示開始時刻順に並ぶように、複数の動画広告Ａを分割表示状態の表示部１４の広告表示部１４ａに表示させる制御を行うように構成されている。具体的には、自動販売機５１０の制御部５１７は、表示開始時刻が早い動画広告Ａである程、優先度が高い表示位置に表示されるように、複数の動画広告Ａを分割表示状態の表示部１４の広告表示部１４ａに表示させる制御を行うように構成されている。
【０１１２】
図１１（Ａ）〜（Ｃ）に示すように、分割表示状態の表示部１４の広告表示部１４ａの画面１４ａａには、表示位置毎に優先度が設定されている。たとえば、図１１（Ａ）に示すように、２分割表示状態の表示部１４の広告表示部１４ａの画面１４ａａには、上側の表示位置（表示領域）に１番の優先度が設定され、下側の表示位置（表示領域）に２番の優先度が設定されている。また、たとえば、図１１（Ｂ）に示すように、３分割表示状態の表示部１４の広告表示部１４ａの画面１４ａａには、上側の表示位置（表示領域）に１番の優先度が設定され、左下側の表示位置（表示領域）に２番の優先度が設定され、右下側の表示位置（表示領域）に３番の優先度が設定されている。また、たとえば、図１１（Ｃ）に示すように、４分割表示状態の表示部１４の広告表示部１４ａの画面１４ａａには、左上側の表示位置（表示領域）に１番の優先度が設定され、右上側の表示位置（表示領域）に２番の優先度が設定され、左下側の表示位置（表示領域）に３番の優先度が設定され、右下側の表示位置（表示領域）に４番の優先度が設定されている。表示部１４の広告表示部１４ａの画面１４ａａには、分割表示状態毎の表示位置毎に優先度が設定されている。
【０１１３】
図１０に示す例を用いて、この分割表示制御について具体的に説明する。９時００分１０秒から９時００分２０秒までの２分割表示状態の画面１４ａａでは、画面１４ａａに表示されている１および２番目の動画広告Ａのうち、１番目の動画広告Ａの表示開始時刻が１番であり、２番目の動画広告Ａの表示開始時刻が２番である。この場合、表示開始時刻が１番である１番目の動画広告Ａが優先度が１番の表示位置である上側の表示位置に表示され、表示開始時刻が２番である２番目の動画広告Ａが優先度が２番の表示位置である下側の表示位置に表示される。
【０１１４】
また、９時００分２０秒から９時００分２５秒までの３分割表示状態の画面１４ａａでは、画面１４ａａに表示されている１〜３番目の動画広告Ａのうち、１番目の動画広告Ａの表示開始時刻が１番であり、２番目の動画広告Ａの表示開始時刻が２番であり、３番目の動画広告Ａの表示開始時刻が３番である。この場合、表示開始時刻が１番である１番目の動画広告Ａが優先度が１番の表示位置である上側の表示位置に表示され、表示開始時刻が２番である２番目の動画広告Ａが優先度が２番の表示位置である左下側の表示位置に表示され、表示開始時刻が３番である３番目の動画広告Ａが優先度が３番の表示位置である右下側の表示位置に表示される。
【０１１５】
また、９時００分２５秒から９時００分３０秒までの４分割表示状態の画面１４ａａでは、画面１４ａａに表示されている１〜４番目の動画広告Ａのうち、１番目の動画広告Ａの表示開始時刻が１番であり、２番目の動画広告Ａの表示開始時刻が２番であり、３番目の動画広告Ａの表示開始時刻が３番であり、４番目の動画広告Ａの表示開始時刻が４番である。この場合、表示開始時刻が１番である１番目の動画広告Ａが優先度が１番の表示位置である左上側の表示位置に表示され、表示開始時刻が２番である２番目の動画広告Ａが優先度が２番の表示位置である右上側の表示位置に表示され、表示開始時刻が３番である３番目の動画広告Ａが優先度が３番の表示位置である左下側の表示位置に表示され、表示開始時刻が４番である４番目の動画広告Ａが優先度が４番の表示位置である右下側の表示位置に表示される。詳細な説明は省略するが、以降も同様の表示が行われる。
【０１１６】
〈表示終了時刻順に並べる場合〉
また、たとえば、図１２に示すように、自動販売機５１０の制御部５１７は、予め決められた優先度（図１１（Ａ）〜（Ｃ）参照）に従って表示終了時刻順に並ぶように、複数の動画広告Ａを分割表示状態の表示部１４の広告表示部１４ａに表示させる制御を行うように構成されている。具体的には、自動販売機５１０の制御部５１７は、表示終了時刻が早い動画広告Ａである程、優先度が高い表示位置に表示されるように、複数の動画広告Ａを分割表示状態の表示部１４の広告表示部１４ａに表示させる制御を行うように構成されている。
【０１１７】
図１２に示す例を用いて、この分割表示制御について具体的に説明する。９時００分１０秒から９時００分２０秒までの２分割表示状態の画面１４ａａでは、画面１４ａａに表示されている１および２番目の動画広告Ａのうち、１番目の動画広告Ａの表示終了時刻が１番であり、２番目の動画広告Ａの表示終了時刻が２番である。この場合、表示終了時刻が１番である１番目の動画広告Ａが優先度が１番の表示位置である上側の表示位置に表示され、表示終了時刻が２番である２番目の動画広告Ａが優先度が２番の表示位置である下側の表示位置に表示される。
【０１１８】
また、９時００分２０秒から９時００分２５秒までの３分割表示状態の画面１４ａａでは、画面１４ａａに表示されている１〜３番目の動画広告Ａのうち、１番目の動画広告Ａの表示終了時刻が１番であり、３番目の動画広告Ａの表示終了時刻が２番であり、２番目の動画広告Ａの表示終了時刻が３番である。この場合、表示終了時刻が１番である１番目の動画広告Ａが優先度が１番の表示位置である上側の表示位置に表示され、表示終了時刻が２番である３番目の動画広告Ａが優先度が２番の表示位置である左下側の表示位置に表示され、表示終了時刻が３番である２番目の動画広告Ａが優先度が３番の表示位置である右下側の表示位置に表示される。
【０１１９】
また、９時００分２５秒から９時００分３０秒までの４分割表示状態の画面１４ａａでは、画面１４ａａに表示されている１〜４番目の動画広告Ａのうち、１番目の動画広告Ａの表示終了時刻が１番であり、３番目の動画広告Ａの表示終了時刻が２番であり、２番目の動画広告Ａの表示終了時刻が３番であり、４番目の動画広告Ａの表示終了時刻が４番である。この場合、表示終了時刻が１番である１番目の動画広告Ａが優先度が１番の表示位置である左上側の表示位置に表示され、表示終了時刻が２番である３番目の動画広告Ａが優先度が２番の表示位置である右上側の表示位置に表示され、表示終了時刻が３番である２番目の動画広告Ａが優先度が３番の表示位置である左下側の表示位置に表示され、表示終了時刻が４番である４番目の動画広告Ａが優先度が４番の表示位置である右下側の表示位置に表示される。詳細な説明は省略するが、以降も同様の表示が行われる。
【０１２０】
〈表示位置が保持される場合〉
また、たとえば、図１３に示すように、自動販売機５１０の制御部５１７は、少なくとも１つの動画広告Ａの表示位置が保持されるように、表示部１４の広告表示部１４ａの画面１４ａａを分割表示状態から次の分割表示状態に遷移させる制御を行うように構成されている。具体的には、自動販売機５１０の制御部５１７は、分割表示状態と次の分割表示状態とにおいて、少なくとも１つの動画広告Ａが同じ表示位置でかつ同じ表示サイズにより表示されるように、表示部１４の広告表示部１４ａの画面１４ａａを分割表示状態から次の分割表示状態に遷移させる制御を行うように構成されている。
【０１２１】
図１３に示す例を用いて、この分割表示制御について具体的に説明する。たとえば、９時００分２０秒においては、上側の表示位置に表示されている１番目の動画広告Ａの表示位置が保持されるように、画面１４ａａが２分割表示状態から３分割表示状態に遷移されている。この場合、２分割表示状態と３分割表示状態とにおいて、１番目の動画広告Ａが同じ表示位置でかつ同じ表示サイズにより表示されている。
【０１２２】
また、たとえば、９時００分２５秒においては、左下側の表示位置に表示されている２番目の動画広告Ａと、右下側の表示位置に表示されている３番目の動画広告Ａとの２つの動画広告Ａの表示位置が保持されるように、画面１４ａａが３分割表示状態から４分割表示状態に遷移されている。この場合、３分割表示状態と４分割表示状態とにおいて、２および３番目の動画広告Ａが同じ表示位置でかつ同じ表示サイズにより表示されている。
【０１２３】
また、たとえば、９時００分３０秒においては、左下側の表示位置に表示されている２番目の動画広告Ａと、右下側の表示位置に表示されている３番目の動画広告Ａとの２つの動画広告Ａの表示位置が保持されるように、画面１４ａａが４分割表示状態から３分割表示状態に遷移されている。この場合、４分割表示状態と３分割表示状態とにおいて、２および３番目の動画広告Ａが同じ表示位置でかつ同じ表示サイズにより表示されている。詳細な説明は省略するが、その他でも同様の表示が行われる。
【０１２４】
〈表示位置が変わる場合〉
また、たとえば、図１４に示すように、自動販売機５１０の制御部５１７は、動画広告Ａの表示位置が変わるように（シャッフルされるように）、表示部１４の広告表示部１４ａの画面１４ａａを分割表示状態から次の分割表示状態に遷移させる制御を行うように構成されている。具体的には、自動販売機５１０の制御部５１７は、画面１４ａａの状態の遷移の前後において、動画広告Ａの表示位置が異なる表示位置に移動するように（シャッフルされるように）、表示部１４の広告表示部１４ａの画面１４ａａを分割表示状態から次の分割表示状態に遷移させる制御を行うように構成されている。
【０１２５】
図１４に示す例を用いて、この分割表示制御について具体的に説明する。たとえば、９時００分２０秒においては、１および２番目の動画広告Ａの表示位置が変わるように、画面１４ａａが２分割表示状態から３分割表示状態に遷移されている。具体的には、２分割表示状態の画面１４ａａにおいて上側の表示位置であった１番目の動画広告Ａの表示位置が、３分割表示状態の画面１４ａａにおいては、左下側に変わっている。また、２分割表示状態の画面１４ａａにおいて下側の表示位置であった２番目の動画広告Ａの表示位置が、３分割表示状態の画面１４ａａにおいては、上側の表示位置に変わっている。
【０１２６】
また、たとえば、９時００分２５秒においては、１〜３番目の動画広告Ａの表示位置が変わるように、画面１４ａａが３分割表示状態から４分割表示状態に遷移されている。具体的には、３分割表示状態の画面１４ａａにおいて左下側の表示位置であった１番目の動画広告Ａの表示位置が、４分割表示状態の画面１４ａａにおいては、左上側の表示位置に変わっている。また、３分割表示状態の画面１４ａａにおいて上側の表示位置であった２番目の動画広告Ａの表示位置が、４分割表示状態の画面１４ａａにおいては、右上側の表示位置に変わっている。また、３分割表示状態の画面１４ａａにおいて右下側の表示位置であった３番目の動画広告Ａの表示位置が、４分割表示状態の画面１４ａａにおいては、左下側の表示位置に変わっている。
【０１２７】
また、たとえば、９時００分３０秒においては、２〜４番目の動画広告Ａの表示位置が変わるように、画面１４ａａが４分割表示状態から３分割表示状態に遷移されている。具体的には、４分割表示状態の画面１４ａａにおいて右上側の表示位置であった２番目の動画広告Ａの表示位置が、３分割表示状態の画面１４ａａにおいては、右下側の表示位置に変わっている。また、４分割表示状態の画面１４ａａにおいて左下側の表示位置であった３番目の動画広告Ａの表示位置が、３分割表示状態の画面１４ａａにおいては、上側の表示位置に変わっている。また、４分割表示状態の画面１４ａａにおいて右下側の表示位置であった４番目の動画広告Ａの表示位置が、３分割表示状態の画面１４ａａにおいては、左下側の表示位置に変わっている。詳細な説明は省略するが、その他でも同様の表示が行われる。
【０１２８】
なお、図１０および図１２〜図１４では、理解の容易のため、常時同じ分割表示制御が行われる例について説明した。しかしながら、図１０および図１２〜図１４に示すような分割表示制御を適宜組み合わせてもよい。たとえば、全画面表示状態〜３分割表示状態の間の画面１４ａａの状態の遷移では、図１０に示す表示開始時刻順の分割表示制御（または図１２に示す表示終了時刻順の分割表示制御）を行いつつ、４分割表示状態への画面１４ａａの状態の遷移では、図１４に示す表示位置が変わる分割表示制御を行ってもよい。また、たとえば、分割を行う場合（分割が増える場合）の画面１４ａａの状態の遷移では、図１０に示す表示開始時刻順の分割表示制御を行いつつ、分割の解除を行う場合（分割が減る場合）の画面１４ａａの状態の遷移では、図１２に示す表示終了時刻順の分割表示制御を行ってもよい。
【０１２９】
また、自動販売機５００は、図１０および図１２〜図１４に示すような複数種類の分割表示制御のうちから、分割表示制御を選択して設定可能に構成されている。これにより、自動販売機５００毎に適した分割表示制御を行うことが可能である。
【０１３０】
〈表示位置または表示サイズが指定されている場合〉
また、第６実施形態では、図９に示すように、自動販売機システム５００は、動画広告Ａが広告配信サーバ２０に投稿された際、動画広告Ａの表示位置の制限または表示サイズの制限を広告主により指定可能に構成されている。図１５および図１６に示すように、自動販売機５１０の制御部５１７は、分割表示される複数の動画広告Ａのうちの所定の動画広告Ａに表示位置の制限または表示サイズの制限が広告主により指定されている場合、表示部１４の広告表示部１４ａの画面１４ａａの分割を行う場合に、指定された表示位置の制限または表示サイズの制限を満たすように、所定の動画広告Ａを表示部１４の広告表示部１４ａに表示させる制御を行うように構成されている。
【０１３１】
自動販売機５１０の制御部５１７は、所定の動画広告Ａに表示位置の制限が指定されている場合、所定の動画広告Ａの表示開始から表示終了まで、指定された表示位置の制限を満たすように、所定の動画広告Ａを表示部１４の広告表示部１４ａに表示させる制御を行うように構成されている。たとえば、表示位置の制限として「上側」が指定されている場合、自動販売機５１０の制御部５１７は、所定の動画広告Ａの表示開始から表示終了まで、所定の動画広告Ａの表示位置が「上側」を満たすように、所定の動画広告Ａを表示部１４の広告表示部１４ａに表示させる制御を行う。
【０１３２】
同様に、自動販売機５１０の制御部５１７は、所定の動画広告Ａに表示サイズの制限が指定されている場合、所定の動画広告Ａの表示開始から表示終了まで、指定された表示サイズの制限を満たすように、所定の動画広告Ａを表示部１４の広告表示部１４ａに表示させる制御を行うように構成されている。たとえば、表示サイズの制限として「１／２以上」が指定されている場合、自動販売機５１０の制御部５１７は、所定の動画広告Ａの表示開始から表示終了まで、所定の動画広告Ａの表示サイズが「１／２以上」を満たすように、所定の動画広告Ａを表示部１４の広告表示部１４ａに表示させる制御を行う。
【０１３３】
動画広告Ａの表示位置の制限の指定または表示サイズの制限の指定を行う場合、自動販売機システム５００は、動画広告Ａの表示位置の制限の選択肢および表示サイズの制限の選択肢を広告主に提示する制御を行うように構成されている。動画広告Ａの表示位置の制限の選択肢は、たとえば、「指定なし」、「上側」、「下側」、「右側」、「左側」、「左上側」、「右上側」、「左下側」、「右下側」などである。また、動画広告Ａの表示サイズの制限の選択肢は、たとえば、「指定なし」、「１／１」、「１／２以上」、「１／４以上」などである。広告主は、選択肢のうちから所望の条件を選択して、動画広告Ａの表示位置の制限または表示サイズの制限を指定する。
【０１３４】
〈広告の表示費用の取得〉
また、第６実施形態では、図１７に示すように、自動販売機５００の制御部５１７は、動画広告Ａの表示実績に応じて、動画広告Ａの表示費用を取得するように構成されている。具体的には、自動販売機５００の制御部５１７は、表示した動画広告Ａの表示時間、表示位置、および、表示サイズに基づいて、動画広告Ａの表示費用を取得するように構成されている。より具体的には、自動販売機５００の制御部５１７は、単位料金に、表示時間に応じた重みと、表示位置に応じた重みと、表示サイズに応じた重みとを乗じることにより、動画広告Ａの表示費用を取得するように構成されている。
【０１３５】
図１７に示す例では、たとえば、表示サイズが「１／１」であり、表示時間が「１０秒」であり、表示位置が「全面」である場合、単位料金である「１円」に、表示サイズに応じた重みである「１」と、表示時間に応じた重みである「１０」と、表示位置に応じた重みである「１」とが乗じられることにより、この表示実績における動画広告Ａの表示費用である「１０円」が取得される。また、たとえば、表示サイズが「１／２」であり、表示時間が「１５秒」であり、表示位置が「上」である場合、単位料金である「１円」に、表示サイズに応じた重みである「１／２」と、表示時間に応じた重みである「１５」と、表示位置に応じた重みである「１／２」とが乗じられることにより、この表示実績における動画広告Ａの表示費用である「３．７５円」が取得される。また、たとえば、表示サイズが「１／４」であり、表示時間が「５秒」であり、表示位置が「左下」である場合、単位料金である「１円」に、表示サイズに応じた重みである「１／４」と、表示時間に応じた重みである「５」と、表示位置に応じた重みである「１／４」とが乗じられることにより、この表示実績における動画広告Ａの表示費用である「０．３１２５円」が取得される。
【０１３６】
このように、表示実績毎の動画広告Ａの表示費用が取得される。また、所定の費用算出期間において取得された表示実績毎の動画広告Ａの表示費用が加算されることにより、所定の費用算出期間における動画広告Ａの表示費用の合計が取得される。そして、取得された動画広告Ａの表示費用の合計が、広告主に事後的に請求される。なお、動画広告Ａの表示費用の取得は、動画広告Ａ毎に行われる。
【０１３７】
なお、第６実施形態のその他の構成は、上記第１実施形態と同様である。
【０１３８】
（第６実施形態の効果）
第６実施形態では、以下のような効果を得ることができる。
【０１３９】
第６実施形態では、上記のように、制御部５１７を、表示スケジュールＳＣ２において表示期間が重なる複数の動画広告Ａを、表示部１４の広告表示部１４ａの画面１４ａａを分割して表示部１４の広告表示部１４ａに同時に表示させる制御を行うように構成する。これにより、複数の動画広告Ａの表示期間が重なるように表示スケジュールＳＣ２を組むことができるので、表示スケジュールＳＣ２の自由度を向上させることができる。また、複数の動画広告Ａを表示部１４の広告表示部１４ａに同時に表示させることにより、動画広告Ａの表示回数を増加させることができるので、動画広告Ａによる宣伝効果を高めることができる。また、動画広告Ａの視聴者は、複数の動画広告Ａを同時に見ることができる。
【０１４０】
また、第６実施形態では、上記のように、制御部５１７を、表示スケジュールＳＣ２において表示期間が重なる動画広告Ａの表示が開始される毎に、表示が開始された動画広告Ａによる表示部１４の広告表示部１４ａの画面１４ａａの分割を行うように構成する。これにより、適切なタイミングにおいて、表示部１４の広告表示部１４ａの画面１４ａａの分割を行うことができるので、複数の動画広告Ａを効果的に表示部１４の広告表示部１４ａに同時に表示させることができる。
【０１４１】
また、第６実施形態では、上記のように、制御部５１７を、表示スケジュールＳＣ２において表示期間が重なる動画広告Ａの表示が終了される毎に、表示が終了された動画広告Ａによる表示部１４の広告表示部１４ａの画面１４ａａの分割を解除する制御を行うように構成する。これにより、適切なタイミングにおいて、表示部１４の広告表示部１４ａの画面１４ａａの分割を行うことができるとともに、適切なタイミングにおいて、表示部１４の広告表示部１４ａの画面１４ａａの分割を解除することができるので、複数の動画広告Ａをより効果的に表示部１４の広告表示部１４ａに同時に表示させることができる。
【０１４２】
また、第６実施形態では、上記のように、分割表示状態の表示部１４の広告表示部１４ａの画面１４ａａにおいて、表示位置毎に優先度を設定する。また、制御部５１７を、優先度に従って表示開始時刻順に並ぶように、複数の動画広告Ａを分割表示状態の表示部１４の広告表示部１４ａに表示させる制御を行うように構成する。これにより、優先度が高いために目立ちやすい（視聴者への訴求効果が高い）表示位置を、表示開始時刻が早い動画広告Ａに割り当てることができるので、表示開始時刻が早い動画広告Ａを目立たせつつ、表示部１４の広告表示部１４ａの画面１４ａａを分割して複数の動画広告Ａを表示部１４の広告表示部１４ａに同時に表示させることができる。また、優先度に従って表示開始時刻順に並ぶように、複数の動画広告Ａを分割表示状態の表示部１４の広告表示部１４ａに表示させる制御を連続して行う場合、優先度が高いために目立ちやすい表示位置を、複数の動画広告Ａの各々に表示開始時刻順に順繰りに割り当てることができる。その結果、優先度が高いために目立ちやすい表示位置を、複数の動画広告Ａの各々に比較的均等に割り当てることができるので、複数の動画広告Ａを極力公平に表示させることができる。
【０１４３】
また、第６実施形態では、上記のように、制御部５１７を、優先度に従って表示終了時刻順に並ぶように、複数の動画広告Ａを分割表示状態の表示部１４の広告表示部１４ａに表示させる制御を行うように構成する。これにより、複数の動画広告Ａのうちに表示開始時刻が他の動画広告Ａよりも遅いが表示終了時刻が他の動画広告Ａよりも早い動画広告Ａ（表示時間が短い動画広告Ａ、たとえば、図１３に示す３番目の動画広告Ａ）がある場合、優先度が高いために目立ちやすい（視聴者への訴求効果が高い）表示位置を、表示時間が短い動画広告Ａに割り当てることができる。その結果、表示時間が短い動画広告Ａを目立たせつつ、表示部１４の広告表示部１４ａの画面１４ａａを分割して複数の動画広告Ａを表示部１４の広告表示部１４ａに同時に表示させることができる。
【０１４４】
また、第６実施形態では、上記のように、制御部５１７を、少なくとも１つの動画広告Ａの表示位置が保持されるように、表示部１４の広告表示部１４ａの画面１４ａａを分割表示状態から次の分割表示状態に遷移させる制御を行うように構成する。これにより、表示位置が保持された動画広告Ａについては、表示部１４の広告表示部１４ａの画面１４ａａの状態が遷移しても位置が変わらないようにすることができるので、表示部１４の広告表示部１４ａの画面１４ａａの状態の遷移時に動画広告Ａの表示位置が変わることに起因して、動画広告Ａが見にくくなることを抑制することができる。
【０１４５】
また、第６実施形態では、上記のように、制御部５１７を、動画広告Ａの表示位置が変わるように、表示部１４の広告表示部１４ａの画面１４ａａを分割表示状態から次の分割表示状態に遷移させる制御を行うように構成する。これにより、表示部１４の広告表示部１４ａの画面１４ａａの状態の遷移時に動画広告Ａの表示位置が変わることにより、視聴者に目新しさを訴求することができるので、視聴者の視線を動画広告Ａに集めることができる。
【０１４６】
また、第６実施形態では、上記のように、制御部５１７を、複数の動画広告Ａのうちの所定の動画広告Ａに表示位置の制限または表示サイズの制限が指定されている場合、表示部１４の広告表示部１４ａの画面１４ａａの分割を行う場合に、指定された表示位置の制限または表示サイズの制限を満たすように、所定の動画広告Ａを表示部１４の広告表示部１４ａに表示させる制御を行うように構成する。これにより、広告主が事前に自身の動画広告Ａに対して表示位置の制限を指定することにより、表示部１４の広告表示部１４ａの画面１４ａａの分割を行う場合にも、目立たちにくい（視聴者への訴求効果が低い）表示位置に自身の動画広告Ａが表示されることを抑制することができる。また、広告主が事前に自身の動画広告Ａに対して表示サイズの制限を指定することにより、表示部１４の広告表示部１４ａの画面１４ａａの分割を行う場合にも、目立たちにくい（視聴者への訴求効果が低い）表示サイズにより自身の動画広告Ａが表示されることを抑制することができる。
【０１４７】
また、第６実施形態では、上記のように、自動販売機５１０を、表示した動画広告Ａの表示時間、表示位置、および、表示サイズに基づいて、動画広告Ａの表示費用が取得されるように構成する。ここで、表示部１４の広告表示部１４ａの画面１４ａａを分割して複数の動画広告Ａを表示部１４の広告表示部１４ａに同時に表示させる場合、表示位置や表示サイズに応じて視聴者への訴求効果が異なるため、実際に表示した表示位置や表示サイズを考慮した動画広告Ａの表示実績に応じて動画広告Ａの表示費用を広告主に請求しなければ、不公平さが生じる。そこで、上記のように構成することにより、動画広告Ａの表示実績に応じて、動画広告Ａの表示費用を取得することができるので、表示部１４の広告表示部１４ａの画面１４ａａを分割して複数の動画広告Ａを表示部１４の広告表示部１４ａに同時に表示させる場合にも、公平な動画広告Ａの表示費用を広告主に請求することができる。
【０１４８】
なお、第６実施形態のその他の効果は、上記第１実施形態と同様である。
【０１４９】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【０１５０】
たとえば、上記第１〜第６実施形態では、広告配信サーバに、表示スケジュールおよび動画広告のデータベースが記憶されている例を示したが、本発明はこれに限られない。本発明では、自動販売機に、表示スケジュールおよび動画広告のデータベースが記憶されていてもよい。この場合、自動販売機がネットワークに接続されていなくてもよい。
【０１５１】
また、上記第１〜第５実施形態では、緊急情報により中断された動画広告よりも後の動画広告の表示速度が大きくされる例を示したが、本発明はこれに限られない。本発明では、緊急情報により中断された動画広告の表示速度が大きくされてもよい。
【０１５２】
また、上記第１実施形態では、緊急情報により中断された動画広告の直後の動画広告が、表示速度の増加対象の動画広告として決定される例を示し、上記第２実施形態では、緊急情報により中断された動画広告の直後から連続する複数の動画広告が、表示速度の増加対象の動画広告として決定される例を示したが、本発明はこれに限られない。本発明では、緊急情報により中断された後の動画広告であれば、いずれの動画広告が、表示速度の増加対象の動画広告として決定されてもよい。たとえば、表示スケジュールの動画広告の並び順にかかわらず、緊急情報により中断された後の動画広告のうち、表示時間が予め決められたしきい値以上である動画広告（すなわち、表示時間が長い動画広告）が、表示速度の増加対象の動画広告として決定されてもよい。また、たとえば、緊急情報により中断された後の動画広告のうち、一定間隔毎の動画広告（偶数番目の動画広告、奇数番目の動画広告など）が、表示速度の増加対象の動画広告として決定されてもよい。
【０１５３】
また、上記第２実施形態では、中断時間に応じて、表示速度を大きくする動画広告の数が決定される例を示したが、本発明はこれに限られない。本発明では、表示速度を大きくする動画広告の数が予め決定（設定）されていてもよい。
【０１５４】
また、上記第１、第３および第４実施形態では、動画広告の通常のフレームレートが６０ｆｐｓである例を示したが、本発明はこれに限られない。本発明では、動画広告の通常のフレームレートが６０ｆｐｓ以外であってもよい。たとえば、動画広告の通常のフレームレートが３０ｆｐｓ、５０ｆｐｓなどであってもよい。
【０１５５】
また、上記第６実施形態では、自動販売機システムが、動画広告の表示位置の制限または表示サイズの制限を指定可能に構成されている例を示したが、本発明はこれに限られない。本発明では、自動販売機システムが、必ずしも動画広告の表示位置の制限または表示サイズの制限を指定可能に構成されていなくてもよい。
【０１５６】
また、上記第６実施形態では、自動販売機が、動画広告の費用に関する値として、動画広告の費用そのものを取得するように構成されている例を示したが、本発明はこれに限られない。本発明では、自動販売機が、動画広告の費用に関する値として、動画広告の費用そのものではなく、動画広告の費用に関するポイントなどを取得するように構成されていてもよい。
【０１５７】
また、上記第６実施形態では、自動販売機が、動画広告の費用（動画広告の費用に関する値）を取得するように構成されている例を示したが、本発明はこれに限られない。本発明では、広告配信サーバが、動画広告の費用に関する値を取得するように構成されていてもよい。また、自動販売機システムが、必ずしも動画広告の費用に関する値を取得するように構成されていなくてもよい。
【符号の説明】
【０１５８】
１０、１１０、２１０、３１０、４１０、５１０  自動販売機
１４  表示部
１４ａ  広告表示部
１４ａａ  画面
１７、１１７、２１７、３１７、４１７、５１７  制御部
２０、４２０  広告配信サーバ
１００、２００、３００、４００、５００、６００  自動販売機システム
Ａ  動画広告
Ｅ  緊急情報
Ｆ  フレーム
ＳＣ１、ＳＣ２  表示スケジュール
Ｔ  中断時間
【図１】
2020101975.tif 000003
【図２】
2020101975.tif 000004
【図３】
2020101975.tif 000005
【図４】
2020101975.tif 000006
【図５】
2020101975.tif 000007
【図６】
2020101975.tif 000008
【図７】
2020101975.tif 000009
【図８】
2020101975.tif 000010
【図９】
2020101975.tif 000011
【図１０】
2020101975.tif 000012
【図１１】
2020101975.tif 000013
【図１２】
2020101975.tif 000014
【図１３】
2020101975.tif 000015
【図１４】
2020101975.tif 000016
【図１５】
2020101975.tif 000017
【図１６】
2020101975.tif 000018
【図１７】
2020101975.tif 000019